(57)【要約】【課題】本発明は、限られた数のセンサーを用いて、室内の空調の制御対象となる位置における環境状態を推定することのできる空調用センサーシステムを提供することにある。【解決手段】室内に環境状態を測定するためｎ個の温度センサーが設けられ、室内における指定箇所の環境状態を推定するために、ｎ個のセンサーのうちｍ個のセンサーを選択し、選択されたｍ個のセンサーの測定結果に基いて、指定箇所の環境状態を推定する空調用センサーシステム。【選択図】      図１
2008075973.tif 000002
【特許請求の範囲】
【請求項１】
室内の環境状態を測定するための少なくとも２つ以上であるｎ個のセンサーと、
前記室内における指定された指定箇所の環境状態を推定するために、前記ｎ個のセンサーのうちｎ個よりも少ないｍ個の前記センサーを選択するセンサー選択手段と、
前記センサー選択手段により選択された前記ｍ個のセンサーの測定結果に基いて、前記指定箇所の環境状態を推定する環境状態推定手段と
を有することを特徴とする空調用センサーシステム。
【請求項２】
前記指定箇所と前記各ｎ個のセンサーとの距離を演算する距離演算手段を有し、
前記センサー選択手段は、前記距離演算手段により演算した距離が近い順番に前記センサーをｍ個選択すること
を特徴とする請求項１に記載の空調用センサーシステム。
【請求項３】
前記指定箇所と前記各ｎ個のセンサーとの高低差を演算する高低差演算手段を有し、
前記センサー選択手段は、前記高低差演算手段により演算した高低差が少ない順番に前記センサーをｍ個選択すること
を特徴とする請求項１に記載の空調用センサーシステム。
【請求項４】
前記各ｎ個のセンサーの勢力範囲を演算する勢力範囲演算手段を有し、
前記センサー選択手段は、前記勢力範囲演算手段により演算された前記勢力範囲に基いて、前記指定箇所が属する前記勢力範囲の該センサーを選択すること
を特徴とする請求項１に記載の空調用センサーシステム。
【請求項５】
前記勢力範囲演算手段は、前記各ｎ個のセンサーの勢力範囲を前記各ｎ個のセンサーによるボロノイ領域により演算すること
を特徴とする請求項４に記載の空調用センサーシステム。
【請求項６】
室内の環境状態を測定するための少なくとも２つ以上であるｎ個のセンサーと、
前記ｎ個のセンサーの測定結果を境界条件に用い、熱伝導に関する式又はナビエストークスの式のいずれか１つを用いて、前記室内における指定された指定箇所の環境状態を推定する環境状態推定手段と
を有することを特徴とする空調用センサーシステム。
【請求項７】
前記環境状態推定手段により推定した前記指定箇所の環境状態に基いて、前記室内における環境状態の分布を作成する環境状態分布作成手段
を有することを特徴とする請求項１から請求項６のいずれか１項に記載の空調用センサーシステム。
【請求項８】
前記ｎ個のセンサーから測定結果を無線により受信する無線基地局を有し、
前記環境状態推定手段は、前記ｍ個のセンサーの測定結果を前記無線基地局を介して取得すること
を特徴とする請求項１から請求項７のいずれか１項に記載の空調用センサーシステム。
【請求項９】
前記ｎ個のセンサーと前記無線基地局との無線は、特定小電力無線を用いること
を特徴とする請求項８に記載の空調用センサーシステム。
【請求項１０】
前記ｎ個のセンサーは、予め定めた時間間隔で測定し、測定をしていない間は、消費電力を抑える状態になること
を特徴とする請求項８に記載の空調用センサーシステム。
【請求項１１】
前記無線基地局は、前記ｎ個のセンサーに測定させるための測定指令を出力し、
前記ｎ個のセンサーは、前記無線基地局からの前記測定指令により測定し、測定していない間は、消費電力を抑える状態になること
を特徴とする請求項８に記載の空調用センサーシステム。
【請求項１２】
前記各ｎ個のセンサーは、
電源として照明により発電する第１の発電手段と、
電源として照明によらずに発電する第２の発電手段と
を有すること請求項１から請求項１１のいずれか１項に記載の空調用センサーシステム。
【請求項１３】
請求項１から請求項１２のいずれか１項に記載の空調用センサーシステムを用い、前記室内の空調を制御する空調システムにおいて、
前記室内の空調をする空調手段と、
前記環境状態推定手段により推定された前記指定箇所の環境状態に基づいて、前記空調手段を制御する空調制御手段と
を有することを特徴とする空調システム。
【請求項１４】
前記空調手段は、
前記室内の天井又は前記天井付近に設けられ、空気を排出する第１の排気手段と、
前記第１の排気手段よりも低く、前記室内の底面から略２メートル以上の高さに設けられ、空気を排出する第２の排気手段とを含むこと
を特徴とする請求項１３に記載の空調システム。
【請求項１５】
前記空調制御手段は、前記指定箇所の環境状態が予め定めた値による環境状態を満たしていない場合、前記空調手段を動作させること
を特徴とする請求項１３又は請求項１４に記載の空調システム。
【発明の詳細な説明】
【技術分野】
【０００１】
本発明は、空調の制御に用いられる空調用センサーシステムに関する。
【背景技術】
【０００２】
一般的に、ビルなどに設置される空調システムでは、小規模な場合には室内に設置された一台あるいは一群の空調機を居住者がリモートコントローラにより操作し、希望する室温を設定して運転される。また、大規模な場合には、天井付近に給気口および吸引口（排気口）があり、例えば冷房の場合、離れた場所におかれた空調機からダクトを通じて冷風を導入して給気口から室内に給気し、室内の暖かい空気あるいは汚染された空気を吸引口からダクトを通じて排気をおこなう。この場合、居室内あるいは吸引口付近に設けられた温度センサーを用いてビル内に設けられた中央制御室において全体の運転が制御される。場合によっては、両者が併用されることもある。
【０００３】
また、一台および一群の空調機を局所的に制御する場合には、室内に設置されたリモートコントローラを居住者が操作して希望する温度を設定し、対応する空調機がリモートコントローラの位置あるいは空調機の給気口付近に設置された温度センサーの測定値が設定された温度になるように空調機を制御する。
【０００４】
この場合、リモートコントローラの位置あるいは空調機の給気口付近の温度は設定値に近い値となるが、居住者の位置は通常はこれらの位置と異なるため、居住者の位置において必ずしも希望の温度になるとは限らず、必ずしも快適な空調が得られないことが多い。
【０００５】
ビル内の中央制御室において運転制御された空調機の場合にも、室内あるいは空調機の吸引口付近に設置されたセンサーにより測定された温度を用いて制御を行うため、居住者の位置によっては快適な空調が得られないことが多い。
【０００６】
そこで、各居住者ごとに空調機の吹出し口を設ける等して個別に快適な環境を設けるものとしてパーソナル空調装置が開示されている（例えば、特許文献１参照）。また、居室をいくつかのエリアに分けて、各エリアを担当する複数の空調機を連携制御することが開示されている（例えば、特許文献２参照）。
【特許文献１】特公平０７−８８９５０号公報
【特許文献２】特開２００５−１３４０２１号公報
【発明の開示】
【発明が解決しようとする課題】
【０００７】
しかしながら、先行技術文献に開示されている方式では、センサーの位置と空調の制御対象となる位置（例えば、居住者の位置）が必ずしも一致しないため、空調の制御対象にしたい位置を最適に管理できるとは限らない。
【０００８】
例えば、居住者ごとに空調機を配置する場合、居住者ごとの位置の環境状態（温度、湿度、二酸化炭素濃度など）を測定する必要があり、このために居住者の位置に温度センサー等を配置する必要がある。しかし、居住者が移動したり、机等の配置が変化した場合にはセンサーを設置し直し、制御アルゴリズムを見直す必要がある。
【０００９】
また、センサーを設置する数は、設置箇所又はコストなどにより限られており、室内の任意の点を測定するように、センサーを設けることは、現実的には困難である。
【００１０】
そこで、本発明の目的は、限られた数のセンサーを用いて、室内の空調の制御対象となる位置における環境状態を推定することのできる空調用センサーシステムを提供することにある。
【課題を解決するための手段】
【００１１】
本発明の観点に従った空調用センサーシステムは、室内の環境状態を測定するための少なくとも２つ以上であるｎ個のセンサーと、前記室内における指定された指定箇所の環境状態を推定するために、前記ｎ個のセンサーのうちｎ個よりも少ないｍ個の前記センサーを選択するセンサー選択手段と、前記センサー選択手段により選択された前記ｍ個のセンサーの測定結果に基いて、前記指定箇所の環境状態を推定する環境状態推定手段とを備えた構成である。
【発明の効果】
【００１２】
本発明によれば、限られた数のセンサーを用いて、室内の空調の制御対象となる位置における環境状態を推定することのできる空調用センサーシステムを提供することができる。
【発明を実施するための最良の形態】
【００１３】
以下図面を参照して、本発明の実施形態を説明する。
【００１４】
（第１の実施形態）
図１は、本発明の第１の実施形態に係る空調用センサーシステムを用いた空調システムの構成を示すブロック図である。なお、以降において、同一部分には同一符号を付してその詳しい説明を省略し、異なる部分について主に述べる。以降の実施形態も同様にして重複した説明を省略する。
【００１５】
本空調システムは、空調用センサーシステムを採用して、室内の空調を管理するシステムである。本空調用センサーシステムは、部屋の全体の環境状態（温度及び湿度など）を表す分布（以下、「環境状態分布」という。）を作成する。本空調システムは、空調用センサーシステムで作成された環境状態分布に基いて、空調を管理する機器を制御する。
【００１６】
まず、本空調システムの適用された部屋について説明する。
【００１７】
入口は、南側に位置している。部屋の入口側には、廊下がある。奥の壁は、北側に位置している。奥の壁は、窓があり、屋外に接している。入口から見て左右（東側及び西側）には、別の部屋が隣接している。
【００１８】
本空調システムは、センサーＳＲ１１〜ＳＲ１６，ＳＲ２１〜ＳＲ２６，ＳＲ３１〜ＳＲ３６，ＳＲ４１〜ＳＲ４６，ＳＲ５１，ＳＲ５２，ＳＲ６１〜ＳＲ６３（以下、総称して「センサーＳＲ」という。）と、制御装置１と、空調装置１０１，１０２とからなる。
【００１９】
図２は、第１の実施形態に係る空調用センサーシステムのセンサーの設置位置を示す配置図である。
【００２０】
センサーＳＲ１１〜ＳＲ６３は、温度及び湿度を測定するためのセンサーである。センサーＳＲ１１〜ＳＲ１６は、部屋の入口から見て、奥（北側）の壁に設置されている。センサーＳＲ２１〜ＳＲ２６は、部屋の入口から見て、右側（東側）の壁に設置されている。センサーＳＲ３１〜ＳＲ３６は、部屋の入口から見て、左側（西側）の壁に設置されている。センサーＳＲ４１〜ＳＲ４６は、部屋の入口側（南側）の壁に設置されている。センサーＳＲ５１，ＳＲ５２は、天井（上側）の空調機の吸気口付近に設置されており、センサーＳＲ５１は西側、センサーＳＲ５２は東側に設置されている。センサーＳＲ６１〜ＳＲ６３は、室内の机上（下側）に設置されている。
【００２１】
センサーＳＲ１１〜ＳＲ１３，ＳＲ２１〜ＳＲ２３，ＳＲ３１〜ＳＲ３３，ＳＲ４１〜ＳＲ４３は、部屋の上部に設置されている。センサーＳＲ１４〜ＳＲ１６，ＳＲ２４〜ＳＲ２６，ＳＲ３４〜ＳＲ３６，ＳＲ４４〜ＳＲ４６は、部屋の下部に設置されている。
【００２２】
センサーＳＲ１２，ＳＲ１５，ＳＲ２２，ＳＲ２５，ＳＲ３２，ＳＲ３５，ＳＲ４２，ＳＲ４５は、壁の中央付近に設置されている。
【００２３】
制御装置１は、センサーＳＲ１１〜ＳＲ６３により測定した温度及び湿度に基いて、部屋の全体の環境状態分布を作成する。制御装置１は、作成した環境状態分布に基いて、空調装置１０１，１０２を制御する。
【００２４】
制御装置１は、コンピュータである。コンピュータは、演算部及び記憶部を有している。従って、制御装置１で行われる各種の演算処理は、主に演算部で行われる。また、制御装置１は、必要に応じて、各種情報を記憶部から取得し、各種情報を記憶部に保存する。制御装置１は、例えばパーソナルコンピュータ（以下、「パソコン」という。）形のコンピュータである。演算部は、例えば中央処理装置（ＣＰＵ）である。記憶部は、例えばハードディスク及びメモリである。
【００２５】
空調装置１０１，１０２は、冷房、暖房、除湿又は換気などの空調を行うための機器である。
【００２６】
次に、制御装置１について詳細に説明する。
【００２７】
制御装置１は、測定値受信部１１と、環境状態推定部１２と、環境状態分布作成部１３と、空調制御部１４とを有する。
【００２８】
測定値受信部１１は、センサーＳＲ１１〜ＳＲ６３により測定した温度及び湿度を受信する。
【００２９】
環境状態推定部１２は、室内の任意に指定された箇所（以下、「指定箇所」という。）における温度及び湿度を推定する。
【００３０】
環境状態分布作成部１３は、環境状態推定部１２により推定した室内の全ての各点における温度及び湿度に基いて、環境状態分布を作成する。
【００３１】
空調制御部１４は、環境状態分布作成部１３により作成された環境状態分布に基いて、空調装置１０１，１０２を制御する。
【００３２】
図３は、第１の実施形態に係る制御装置１における環境状態分布の作成方法について説明するためのイメージ図である。ここでは、主として温度に関する環境状態について説明するが、湿度及び二酸化炭素（以下、「ＣＯ２」という。）濃度の各分布も同様にして求めることができる。
【００３３】
環境状態推定部１２は、室内の全ての壁面をメッシュ状に区切り、区切られたメッシュ単位の区画（以下、「メッシュ点」という。メッシュ点は、イメージＩＭ１中の「×」などである。）の温度を推定する（イメージＩＭ１）。
【００３４】
環境状態推定部１２は、各センサーＳＲの勢力範囲を定めて、任意に指定されたメッシュ点の温度を推定する。勢力範囲とは、あるセンサーＳＲが受け持つ領域である。壁面上の任意の点は、各センサーＳＲの何れかの勢力範囲に属する。勢力範囲は、ボロノイ領域を用いて定める（イメージＩＭ２）。
【００３５】
図４を参照して、ボロノイ領域について説明する。
【００３６】
ボロノイ領域は、近くにある２つのセンサーＳＲから等距離にある点を結んだ線分（２つのセンサーＳＲを結んだ線の垂直二等分線）で区切られた領域である。即ち、各センサーＳＲは、ボロノイ領域内の位置であれば、他の全てのセンサーＳＲよりも近くにあることを示している。
【００３７】
室内の全ての壁面は、図５に示すように、ボロノイ領域を用いることにより、センサーＳＲの数だけの領域に区切られる。
【００３８】
環境状態推定部１２は、各メッシュ点がどのセンサーＳＲの勢力範囲に属しているかを判定する。環境状態推定部１２は、メッシュ点が属している勢力範囲のセンサーＳＲが測定した温度を、そのメッシュ点における温度と推定する。このようにして、環境状態推定部１２は、全てのメッシュ点における温度を推定する（イメージＩＭ３）。
【００３９】
環境状態分布作成部１３は、環境状態推定部１２により推定された壁面上の各メッシュ点の環境状態を用いて、流体シミュレーションなどを行うことにより、指定箇所の環境状態を推定する。これを繰り返すことで、環境状態分布作成部１３は、室内における環境状態分布を作成する（イメージＩＭ４）。例えば、環境状態分布作成部１３は、熱伝導の式又はナビエストークス方程式を解いて、乱流モデルまで含めて室内の気流や温度の分布を計算する。なお、机等まで含めた現実的な形状の部屋における３次元の環境状態分布を求めてもよい。
【００４０】
図６は、第１の実施形態に係る空調制御部１４による空調装置１０１，１０２を制御する手順を示すフローチャートである。なお、ここでは、ＣＯ２濃度についても、温度及び湿度と同様に、環境状態分布が作成されているものとする。
【００４１】
空調制御部１４には、ＣＯ２指定値、温度指定値及び湿度指定値が予め設定されている。ここで、ＣＯ２指定値は、ＣＯ２濃度の管理範囲の上限となる値である。温度指定値は、温度を制御するための目標とする温度である。湿度指定値は、湿度を制御するための目標とする湿度である。空調制御部１４は、空調の制御を行う場所（指定箇所）の環境状態を環境状態分布作成部１３により作成した環境状態分布により、環境状態（ＣＯ２濃度、温度及び湿度）を得る。
【００４２】
空調制御部１４は、ＣＯ２濃度とＣＯ２指定値を比較する（ステップＳ１０１）。ＣＯ２濃度の方が高い場合、空調制御部１４は、空調装置１０１，１０２を換気運転し（ステップＳ１０１のＮＯ，ステップＳ１０２）、再度、ＣＯ２濃度とＣＯ２指定値を比較する（ステップＳ１０１）。ＣＯ２濃度の方が低い場合、次のステップＳ１０３に進む（ステップＳ１０１のＹｅｓ）。
【００４３】
空調制御部１４は、外気湿度と室内湿度を比較する（ステップＳ１０３）。室内湿度の方が高い場合、空調制御部１４は、空調装置１０１，１０２を換気運転し（ステップＳ１０３のＹｅｓ、ステップＳ１０４）、再度、外気湿度と室内湿度を比較する（ステップＳ１０３）。室内湿度の方が低い場合、次のステップＳ１０５に進む（ステップＳ１０３のＮｏ）。
【００４４】
空調制御部１４は、温度と温度指定値を比較する（ステップＳ１０５）。温度と温度指定値が異なる場合は、空調制御部１４は、空調装置１０１，１０２を空調運転（冷房又は暖房）し（ステップＳ１０５のＮｏ、ステップＳ１０６）、再度、温度と温度指定値を比較する（ステップＳ１０５）。温度と温度指定値が同じ場合、次のステップＳ１０７に進む（ステップＳ１０５のＹｅｓ）。
【００４５】
空調制御部１４は、湿度と湿度指定値を比較する（ステップＳ１０７）。湿度と湿度指定値が同じ場合、一巡の制御を終了する（ステップＳ１０７のＮｏ）。湿度と湿度指定値が異なる場合、外気湿度と室内湿度を比較する（ステップＳ１０８）。室内湿度の方が高い場合、空調制御部１４は、空調装置１０１，１０２を換気運転する（ステップＳ１０８のＹｅｓ、ステップＳ１１０）。室内湿度の方が低い場合、空調制御部１４は、空調装置１０１，１０２を除湿運転する（ステップＳ１０８のＮｏ、ステップＳ１０９）。
【００４６】
空調制御部１４は、上述の一連の制御を繰り返し行うことにより、指定箇所の環境状態の管理を行う。
【００４７】
ステップＳ１０１では、ＣＯ２濃度の監視を行っている。ＣＯ２濃度はビル管理法によって１０００ｐｐｍ以下にすることが定められているため優先度が高い。なお、同様にして、ホルムアルデヒドの濃度を監視してもよい。
【００４８】
ステップＳ１０２では湿度の調整を行っている。除湿にはエネルギーを必要とするので、外気の湿度が湿度の設定値より小さい場合には外気を取り入れている。但し、これにはファン動力も必要とし、必ずしも省エネにならない場合があるため、省エネになるかどうかの判断のための計算をしてもよい。
【００４９】
ステップＳ１０３では空調装置１０１，１０２によって温度を設定するが、一般に空調を行うと湿度が変化するため、湿度を再度モニターする。
【００５０】
ステップＳ１０４で湿度を監視するが、ここでも外気を有効に利用する。
【００５１】
以下に、本実施形態による効果作用について述べるが、その前に、センサー１つでの制御（従来の制御）による運転での室内の環境状態について述べる。具体的には、センサーＳＲ４５（空調機用のリモートコントローラに設けられているセンサー）のみを空調装置１０１，１０２の制御に用い、他の各センサーＳＲは、モニターとしてのみ使用する。空調装置１０１，１０２は、それぞれが独立して制御される。
【００５２】
まず、暖房運転について説明する。設定温度を２６℃とする。外気の温度は約１８℃であり、約１時間の運転を行う。
【００５３】
空調装置１０１，１０２のスイッチを入れてから約１時間でセンサーＳＲ４５付近の温度は２６℃程度で一定となる。一方、机上の温度は、２５℃程度であり、設定値よりも１℃低い。また、奥側（北側）の温度は総じて低めであり、左右（東側及び西側）の温度は高めである。
【００５４】
天井に設置された空調装置付近のセンサーＳＲ５１，ＳＲ５２の温度は大きく波打ち、それぞれ４０℃程度、３３℃程度となる。波を打つのは室温を一定に制御するために空調機の暖房性能を変化させるために起こる。
【００５５】
壁面に配置されたセンサーのうち、上側の中央のセンサーＳＲ１２，ＳＲ２２，ＳＲ３２，ＳＲ４２の温度も高めとなり、波を打つ。センサーＳＲ５２の温度よりセンサーＳＲ５１の温度が高いことを反映してセンサーＳＲ３２の温度もセンサーＳＲ２２の温度よりも高くなる。
【００５６】
以上のように、室内の空気の温度は場所によってかなり異なる。
【００５７】
窓際では外気温度の影響を受けて温度が低くなるが、概して平面上の位置による温度の変化よりも高さによる温度の変化の方が大きい。また、２台ある空調機の給気温度の差を反映して室内の温度が空間的に異なる。
【００５８】
この例では部屋の温度を２６℃にするために、２台の空調機が、約４０℃の空気と３３℃の空気を給気しており、非効率的である。これは２台の空調機が単独に制御されているためである。
【００５９】
次に、冷房運転について説明する。外気温は２６．５℃、外気の相対湿度は５５％である。
【００６０】
図７は、冷房時における室内の垂直方向の温度分布を示す測定結果である。図８は、冷房時における室内の垂直方向の相対湿度の分布を示す測定結果である。
【００６１】
冷房時における空調装置は、温度は８．７℃、相対湿度は８８％、吸引口での温度は２５．７℃、相対湿度は４９％である。
【００６２】
図７に示すように、冷房時にも居室内の温度は垂直方向にかなり変化しており、上側ほど温度が高い。一方、図８に示すように、相対湿度はほぼ一定に見えるが、絶対湿度が一定であれば温度が高いほど相対湿度が小さいため、この場合は上側ほど絶対湿度が高い。
【００６３】
以上のように、冷房時においても温度及び湿度は場所によって異なる。
【００６４】
本実施形態によれば、環境状態分布（温度、湿度など）を作成して、空調装置１０１，１０２を制御するため、センサーＳＲが設置されていない位置付近においても環境状態を管理することができる。また、制御装置１は、環境状態分布に基いて、空調装置１０１，１０２を制御するため、室内の環境状態を効率的に制御することができる。さらに、センサーＳＲは、勢力範囲をボロノイ領域を用いて定めるため、設置位置を自由に変更できる。このため、様々な環境下においても適用することができる。
【００６５】
なお、ここでは主に環境状態を温度及び湿度を中心として述べたが、ＣＯ２濃度、ホルムアルデヒド濃度などについても、同様にセンサーを設けることにより、環境状態分布を作成することができ、室内の任意の位置における環境状態を管理することができる。
【００６６】
（第２の実施形態）
本実施形態に係る空調用センサーシステムについて説明する。
【００６７】
本空調用センサーシステムは、第１の実施形態に係る制御装置１における環境状態分布を作成するまでの方法が異なる点以外は、第１の実施形態と同様である。
【００６８】
次に、環境状態推定部１２における各メッシュ点の環境状態を推定する方法について説明する。
【００６９】
環境状態推定部１２は、室内の全ての空間をメッシュ状に区切り、区切られた単位の空間をメッシュ点とする。環境状態推定部１２は、環境状態を推定するメッシュ点と各センサーＳＲとの距離を演算する。環境状態推定部１２は、このメッシュ点との距離から最も近いセンサーＳＲを３つ選択する。環境状態推定部１２は、選択した３つセンサーＳＲの測定値に基いて、このメッシュ点の環境状態を推定する。このようにして、室内の全ての空間におけるメッシュ点の環境状態を推定する。
【００７０】
環境状態分布作成部１３は、環境状態推定部１２により推定された各メッシュ点の推定値をプロットすることで、環境状態分布を作成する。
【００７１】
環境状態推定部１２におけるメッシュ点と各センサーＳＲとの距離を演算する方法は、ユークリッド距離（いわゆる通常の距離）や、一般的なミンコフスキー距離（座標の差の絶対値のｋ乗の和の１／ｋ乗）、分散共分散行列を考慮したマハラノビスの汎距離、高さの差のみを用いる距離などである。なお、これらの距離をさらに２乗してもよい。
【００７２】
環境状態推定部１２におけるメッシュ点の環境状態を推定する方法は、単純に平均をする方法、メッシュ点からの距離に反比例した重みを掛けて和をとる方法などである。後者の場合には、距離０の点があれば、他の点の測定値が無視されるほど非常に大きな値を重みとして用いることで、推定するメッシュ点が計測点と一致した場合にも測定値と矛盾無く推定値を求めることができる。
【００７３】
図９は、第２の実施形態に係る空調用センサーシステムにより作成された温度に関する環境状態分布を示すイメージ図である。
【００７４】
図１０は、第２の実施形態に係る空調用センサーシステムにより作成された湿度に関する環境状態分布を示すイメージ図である。
【００７５】
図１１は、第２の実施形態に係る空調用センサーシステムにより作成された快適性指標（以下、「ＰＭＶ」という。なお、「ＰＭＶ」は、「Predicted Mean Vote」の略称。）に関する環境状態分布を示すイメージ図である。
【００７６】
環境状態分布作成部１３は、図１１に示すように、温度に関する環境状態分布（図９）及び湿度に関する環境状態分布（図１０）に基いて、ＰＭＶに関する環境状態分布を作成する。ここで、ＰＭＶとは、暑さ寒さを表すＩＳＯ（International Organization for Standardization）で規定された指標であり、温度及び湿度の関数である。
【００７７】
具体的には、室内の各点において、前述した環境状態推定部１２における距離の計算により、その場所から最も近い３つの計測器を選び、これらの計測器の測定値に、距離に反比例する重みを掛けて平均をとることで計算する。これにより、図９〜１１に示すように、室内各点の温度、湿度、快適性指標ＰＭＶの等高線を得る。
【００７８】
本実施形態によれば、ボロノイ領域を用いなくても、第１の実施形態と同様の作用効果を得ることができる。一般的に、ボロノイ領域を求める演算方法は複雑であることが多い。このため、本実施形態による距離の演算を用いることにより、プログラムを単純化でき、演算による制御装置１の処理負荷を軽減することができる。
【００７９】
また、環境状態分布作成部１３では、環境状態推定部１２による各メッシュ点の推定値をプロットすることで、環境状態分布を作成できるため、プログラムを単純化でき、演算による制御装置１の処理負荷を軽減することができる。なお、これに流体シミュレーションなどを併せて行い、さらに詳細な環境状態分布を作成してもよい。
【００８０】
（第３の実施形態）
図１２は、第３の実施形態に係る空調用センサーシステムのセンサーＳＲの勢力範囲を示すイメージ図である。
【００８１】
本空調用センサーシステムは、第２の実施形態に係る制御装置１におけるセンサーＳＲを選択する方法が異なる以外は、第２の実施形態と同様である。
【００８２】
次に、環境状態推定部１２における各メッシュ点の環境状態を推定するためにセンサーＳＲを選択する方法について説明する。
【００８３】
図１２に示すように、センサーＳＲの勢力範囲を３次元のボロノイ領域を計算して定める。例えば演算方法は、各メッシュ点と全てのセンサーとの距離を計算し、各点が最も近いセンサーＳＲの勢力範囲に属するとして、そのような勢力範囲を結合することにより３次元のボロノイ領域が計算される。これにより、室内の任意のメッシュ点は、いずれかのセンサーＳＲの勢力範囲に含まれる。
【００８４】
環境状態推定部１２は、環境状態を推定するメッシュ点の属している勢力範囲のセンサーＳＲを選択する。環境状態推定部１２は、選択したセンサーＳＲにより測定された測定値をこのメッシュ点の環境状態の推定値とする。
【００８５】
本実施形態によれば、第１の実施形態と同様の作用効果を得ることができる。また、環境状態分布作成部１３では、環境状態推定部１２による各メッシュ点の推定値をプロットすることで、環境状態分布を作成できるため、プログラムを単純化でき、演算による制御装置１の処理負荷を軽減することができる。なお、これに流体シミュレーションなどを併せて行い、さらに詳細な環境状態分布を作成してもよい。
【００８６】
（第４の実施形態）
図１３は、第４の実施形態に係る空調用センサーシステムのセンサーＳＲの勢力範囲を示すイメージ図である。
【００８７】
本空調用センサーシステムは、第２の実施形態に係る制御装置１におけるセンサーＳＲを選択する方法が異なる以外は、第２の実施形態と同様である。
【００８８】
次に、環境状態推定部１２における各メッシュ点の環境状態を推定するためにセンサーＳＲ１，ＳＲ２，ＳＲ３を選択する方法について説明する。
【００８９】
センサーＳＲ１は、部屋の側壁６０１に設けられている。センサーＳＲ２，ＳＲ３は、部屋の側壁６０２に設けられている。センサーＳＲ１，ＳＲ２，ＳＲ３は、それぞれ異なる高さに設けられている。
【００９０】
環境状態推定部１２は、メッシュ点の環境状態を推定するために、このメッシュ点と最も高低差の少ないセンサーを選択する。即ち、各メッシュ点の勢力範囲は、図１３に示すように、室内の３次元空間を、高低差のある平面で区切られた空間により定まる。隣り合う２つ平面で区切られた空間は、この空間内にあるセンサーの勢力範囲となる。これにより、室内の任意のメッシュ点は、いずれかのセンサーＳＲ１，ＳＲ２，ＳＲ３の勢力範囲に含まれる。従って、選択されるセンサーは、環境状態を推定しようとするメッシュ点との高さがもっとも近いものが選択される。
【００９１】
環境状態推定部１２は、環境状態を推定するメッシュ点の属している勢力範囲のセンサーを選択する。環境状態推定部１２は、選択したセンサーにより測定された測定値をこのメッシュ点の環境状態の推定値とする。
【００９２】
本実施形態によれば、ボロノイ領域を用いなくても、第３の実施形態と同様の作用効果を得ることができる。温度や湿度等の空調のためのパラメータは、高さによって一様になる性質を持つものが多い。このため、本実施形態による演算でも推定値の精度を保ちながら、プログラムを単純化でき、演算による制御装置１の処理負荷を軽減することができる。
【００９３】
（第５の実施形態）
図１４は、第５の実施形態に係る空調用センサーシステムを用いた空調システムによる空調制御を説明するためのイメージ図である。
【００９４】
本空調システムは、第１の実施形態に係る空調システムと同様であり、異なる部分について主に説明する。
【００９５】
本空調システムは、換気装置２０１及び空調機３０１が高所に設置され、換気装置２０２及び空調機３０２とが比較的に低所に設置されている。
【００９６】
換気装置２０１の近傍には、温度センサーＳＲＴ１、湿度センサーＳＲＨ１及びＣＯ２センサーＳＲＧ１が設置されている。換気装置２０２の近傍には、温度センサーＳＲＴ２、湿度センサーＳＲＨ２及びＣＯ２センサーＳＲＧ２が設置されている。空調機３０１の近傍には、温度センサーＳＲＴ３、湿度センサーＳＲＨ３及びＣＯ２センサーＳＲＧ３が設置されている。空調機３０２の近傍には、温度センサーＳＲＴ４、湿度センサーＳＲＨ４及びＣＯ２センサーＳＲＧ４が設置されている。
【００９７】
換気装置２０１及び空調機３０１は、例えば、天井付近に設置されている。換気装置２０１及び空調機３０１は、室内の上部の環境状態を管理するための機器である。
【００９８】
換気装置２０２及び空調機３０２は、例えば、標準的な人の身長をほとんど超える高さで、換気装置２０１及び空調機３０１よりも低い位置に設置されている。換気装置２０２及び空調機３０２は、室内の下部の環境状態を管理するための機器である。ここで、標準的な人間の身長をほとんど超える高さは、例えば床から約２メートルである。
【００９９】
温度センサーＳＲＴ１，ＳＲＴ２，ＳＲＴ３，ＳＲＴ４は、温度を測定するためのセンサーである。制御装置１は、温度センサーＳＲＴ１，ＳＲＴ２，ＳＲＴ３，ＳＲＴ４により測定した測定値に基いて、環境状態分布として温度分布を作成する。
【０１００】
湿度センサーＳＲＨ１，ＳＲＨ２，ＳＲＨ３，ＳＲＨ４は、湿度を測定するためのセンサーである。制御装置１は、湿度センサーＳＲＨ１，ＳＲＨ２，ＳＲＨ３，ＳＲＨ４により測定した測定値に基いて、環境状態分布として湿度分布を作成する。
【０１０１】
ＣＯ２センサーＳＲＧ１，ＳＲＧ２，ＳＲＧ３，ＳＲＧ４は、ＣＯ２を測定するためのセンサーである。制御装置１は、ＣＯ２センサーＳＲＧ１，ＳＲＧ２，ＳＲＧ３，ＳＲＧ４により作成した測定値に基いて、環境状態分布としてＣＯ２濃度分布を作成する。
【０１０２】
換気装置２０１，２０２は、外部の空気を室内に給気し、室内の空気を外部に排気する。
【０１０３】
空調機３０１，３０２は、室内の空気を循環させて、空調を制御する。具体的には、空調機３０１，３０２は、冷房、暖房又は除湿を行う。
【０１０４】
空調制御部１４は、温度分布、湿度分布又はＣＯ２濃度分布に基いて、換気装置２０１，２０２及び空調機３０１，３０２を制御する。
【０１０５】
次に、本空調システムによる空調制御部１４の動作について説明する。
【０１０６】
空調制御部１４は、ＣＯ２濃度分布により、室内上部が所定の値（１０００ｐｐｍ）以上のＣＯ２濃度を検出すると、室内上部に設置された換気装置２０１を動作させる。これにより、室内上部の空気が換気される。空調制御部１４は、室内上部のＣＯ２濃度が所定の値以下に下がると、換気装置２０１を停止させる。
【０１０７】
また、空調制御部１４は、室内上部において、ＣＯ２濃度が高く、外気と比べて温度が高く、温度指定より高い場合、換気装置２０１を動作させる。
【０１０８】
空調制御部１４は、ＣＯ２濃度分布により、室内下部が所定の値（１０００ｐｐｍ）以上のＣＯ２濃度を検出すると、室内下部に設置された換気装置２０２を動作させる。空調制御部１４は、室内下部のＣＯ２濃度が所定の値以下に下がると、換気装置２０２を停止させる。
【０１０９】
また、空調制御部１４は、室内下部のＣＯ２濃度が低い場合は、換気装置２０２を動作させない。従って、空調制御部１４は、室内下部の温度又は湿度が高い場合は、空調機３０２を動作させる。このとき、空調制御部１４は、室内上部の温度を空調機３０２の制御には用いない。
【０１１０】
なお、空調制御部１４は、湿度センサーＳＲＨ１，ＳＲＨ２，ＳＲＨ３，ＳＲＨ４により測定した湿度を平均して、換気装置２０１，２０２及び空調機３０１，３０２を制御してもよい。
【０１１１】
本実施形態によれば、第１の実施形態の作用効果に加え、室内の空気、湿度、ＣＯ２濃度などの空間分布を効率的に調整することができる。
【０１１２】
また、吸引口が天井付近の空気を吸込む位置に配置されたものと、人の頭の位置よりも高い位置かつ天井よりも一定距離だけ低い位置に配置し、天井付近の吸引口は、その付近の二酸化炭素濃度の測定値が一定の値を超えた場合に必要な場所の空気を排気し、それよりも低い位置に配置された吸引口は、空気を循環させて冷気とし、室内に供給することで、室内の空調を効率的に行うことができる。
【０１１３】
（第６の実施形態）
図１５は、第６の実施形態に係る空調用センサーシステムを用いた空調システムによる空調制御を説明するためのイメージ図である。
【０１１４】
本空調システムは、第１の実施形態に係る空調システムと同様であり、異なる部分について主に説明する。
【０１１５】
本空調システムは、部屋ＲＭ１，ＲＭ２を有する建物に適用されている。部屋ＲＭ１は、窓際の部屋である。従って、部屋ＲＭ１は、外壁に太陽光が当たる部屋である。部屋ＲＭ２は、奥側の部屋である。
【０１１６】
本空調システムは、各部屋ＲＭ１，ＲＭ２にそれぞれ設けられた温度センサーＳＲＴ、湿度センサーＳＲＨ、及びＣＯ２濃度センサーＳＲＧと、各部屋に設けられた室内の空気を吸引する吸引口ＡＢ１，ＡＢ２と、吸引口ＡＢ１，ＡＢ２により吸引された空気を外部に排出するための経路を形成するダクトＤ１と、吸引口ＡＢ１，ＡＢ２により吸引された空気を外部に排出するための空気の流れを作り出すファンＦＮ１と、室内の空気を循環させるための経路を形成するダクトＤ２と、ダクトＤ２に設けられた温度センサーＳＲＴと、室内の空気を循環させるための空気の流れを作り出すＦＮ２，ＦＮ３，ＦＮ４，ＦＮ５と、各部屋ＲＭ１，ＲＭ２の空調を制御するための空調機３０１とを備えている。また、ＣＯ２濃度センサーＳＲＧは、各部屋に少なくとも１つを天井付近に設置している。空調機３０１は、冷水コイル３１１と、直膨コイル３１２とを備えている。
【０１１７】
空調機３０１は、部屋ＲＭ１，ＲＭ２の両方に、ダクトＤ２を介して、冷風を送る機器である。空調機３０１は、窓際の部屋ＲＭ１と奥側の部屋ＲＭ２とで、運転パターンが異なっている。
【０１１８】
空調制御部１４は、室内上部のＣＯ２濃度が所定の値を超えた部屋のみの換気を行う。これにより、空調を行った部屋は、吸引口ＡＢ１又は吸引口ＡＢ２により換気され、換気された空気は、ダクトＤ１を通って外部に出力される。この換気量は、空調機３０１による空気導入量とつり合っている。それ以外は、循環により空調が行われている。外気導入量が多ければ多いほどファンＦＮ１〜ＦＮ５の動力を必要とし、消費電力が大きくなる。一方、外気導入量が少ない場合には、冷水コイル３１１により循環させる空気の温度を下げて室内への給気温度を下げることにより必要な空調負荷を満たす。
【０１１９】
本実施形態によれば、第１の実施形態の作用効果に加え、効率良く空調を管理することができる。
【０１２０】
（第７の実施形態）
図１６は、第７の実施形態に係る空調用センサーシステムを用いた空調システムの構成を示すイメージ図である。
【０１２１】
本空調システムは、第１の実施形態に係る空調システムと同様であり、異なる部分について主に説明する。本空調システムは、ビルに適用されている。
【０１２２】
本空調システムは、各階ごとに、温度センサーＳＲＴと、湿度センサーＳＲＨと、ＣＯ２センサーＳＲＧと、位置情報センサーＳＲＸと、局所空調装置１０１Ｐと、アクセスポイント（無線基地局）ＡＰが設けられている。また、ビル監視制御装置１Ａと、中央熱源機器１０１Ｓとが中央制御室に設置されている。中央熱源機器１０１Ｓには、温度センサーＳＲＴＡと、流量計ＳＲＰが設けられている。
【０１２３】
各階のセンサーＳＲＴ，ＳＲＨ，ＳＲＧ，ＳＲＸは、無線センサーであり、測定値が無線により、同じ階のアクセスポイントＡＰに送信される。各階のアクセスポイントＡＰは、ビル監視制御装置１ＡとＬＡＮ（local area network）２により接続されている。各階の局所空調装置１０１Ｐは、中央熱源機器１０１Ｓから熱（冷房又は暖房）の供給を受けられるように接続されている。
【０１２４】
無線の規格としては特定小電力無線を用いている。特定小電力無線とは、送信出力１０ｍＷ以下の無線であり、「電波法第４条の３」に該当する無線局である。周波数帯としては４２９ＭＨｚ近辺を用いる。現在、ビル等のオフィスでは無線ＬＡＮ（２.４ＧＨｚ帯）が多用されており、上記の周波数を用いることにより遠方との通信を確保した上でオフィスにおける他の無線との混信を避けることができる。これにより、例えば微弱無線よりも、無線の到達距離が長いため、空調室や天井裏、ダクトなど、オフィスにおける通常の通信と比べて電波の到達の障害が大きい空調機用の無線には適している。
【０１２５】
ビル監視制御装置１Ａは、第１の実施形態に係る制御装置１と同様の機能を有している。具体的には、ビル監視制御装置１Ａは、各階のセンサーＳＲＴ，ＳＲＨ，ＳＲＧに基いて、各階ごとの環境状態分布（温度分布、湿度分布、ＣＯ２濃度分布）を作成する。ビル監視制御装置１Ａは、各階ごとの環境状態分布に基いて、中央熱源機器１０１Ｓを制御する。中央熱源機器１０１Ｓは、各階ごとに設置されている局所空調装置１０１Ｓを作動させることで、各階の空調を管理する。例えば、ビル監視制御装置１Ａは、パソコン型のサーバを有している。
【０１２６】
位置情報センサーＳＲＸは、自己の位置情報を送信するセンサーである。自己の位置情報は、例えば、ビル回数及び部屋回数などである。例えば、位置情報センサーＳＲＸは、ＧＰＳ（Global Positioning System）を利用したセンサーである。
【０１２７】
温度センサーＳＲＴＡは、中央熱源機器１０１から各階の局所空調装置１０１Ｓへ送られる熱源の温度を管理するためのセンサーである。
【０１２８】
流量計ＳＲＰは、中央熱源機器１０１から各階の局所空調装置１０１Ｓへ送られる熱源の流量を管理するためのセンサーである。
【０１２９】
図１７は、第７の実施形態に係る温度センサーＳＲＴ及び湿度センサーＳＲＨを兼ね備えたセンサーの外形図である。
【０１３０】
本センサーは、太陽電池パネル７０１及び電池７０２を備えている。本センサーは、太陽パネル７０１により、蛍光灯下で太陽電池だけでも動作可能であるが、夜間も利用する場合には電池も必要になる。ディップスイッチ７０３は、種々の設定をするためのスイッチである。照明等により発電する電池（例えば太陽電池）と照明等を必要とせずに発電する電池（乾電池、蓄電池などの）とを組み合せることで、センサーは、２４時間稼動することができる。
【０１３１】
図１８は、第７の実施形態に係るＣＯ２センサーＳＲＧの外形図である。
【０１３２】
ＣＯ２センサーＳＲＧは、消費電力の観点から大型化しており、太陽電池よりも通常の電池の方が適している。ＣＯ２濃度は、安全のためにも重要であるため、表示窓７０４にＣＯ２濃度値が表示される。
【０１３３】
図１９は、第７の実施形態に係る無線センサーの電波強度の測定結果を示すグラフ図である。０ｄＢｍは１ｍＷに相当し、１０ｄＢｍ小さくなるごとに信号強度は１／１０になる。２０メートル以上はなれた場所の会議室内や、５０メートル離れた場所の柱の影等でも問題なく測定することができる。本センサーは、８０メートル程度は十分に測定することができる。大規模なビルでも各階に１〜４箇所のアクセスポイントＡＰを設置することでことで、本実施形態に係る構成を構築することができる。
【０１３４】
本実施形態によれば、空調システムをビルに適用することができ、第１の実施形態による作用効果を得ることができる。特に、多数のセンサーを配置する場合、各種センサーからの測定値の送信を、無線を利用することにより、配線の敷設に関する労力を軽減することができる。
【０１３５】
また、位置情報センサーＳＲＸを設けることにより、本空調システムに、位置情報の入力をする手間が省け、位置情報の入力ミスを防止することができる。
【０１３６】
なお、各実施形態において、センサーを室内に設置する個数は、限定するものではなく、少なくとも２つ以上設けていれば、自由に増減することができる。また、センサーＳＲの設置位置も実施形態に限定するものではなく、設置環境に応じて、自由に変更することができる。
【０１３７】
各実施形態において、環境状態を推定するために選択するセンサーの個数は、いくつであってもよいし、１つであってもよい。各実施形態の選択方法を自由に組み合せることができる。
【０１３８】
各実施形態において、センサーは、環境状態を測定するためのセンサーであれば、種類を問わない。また、１つのセンサーが数種類の環境状態を測定するものであってもよい。センサーは、例えば、温度、湿度、二酸化炭素濃度、ホルムアルデヒド濃度などを測定するものである。
【０１３９】
各実施形態において、環境状態を管理するための機器は、実施形態に限らない。例えば、空調システムは、空調機、加湿器、除湿器、又は換気扇を設けて制御してもよいし、室内に適宜、吸引口又は給気口を設けてもよい。また、温度を調整するための機器として、床暖房又は天井ファンなどを用い、これらの機器を組み合せることにより、特に垂直方向の温度分布を効果的に調整することができる。
【０１４０】
各実施形態において、空調システムは、空調に必要な機器の運転を制御するために、空調関連機器の給気温度、風量、外気取り入れ量、冷水流量バルブ、ダンパー開度、その他の空調関連機器の制御に必要なパラメータ、または、二つ以上の空調機が存在する場合には、それぞれの空調機における前述のパラメータを演算によって求めてもよい。また、空調システムは、必要とされる場所のみで空調あるいは換気を行い、二箇所以上の場所の温度、湿度、二酸化炭素濃度、等のパラメータのうちの一つ以上のパラメータを独立に設定するものとしてもよい。
【０１４１】
各実施形態において、空調システムは、吸引口より吸込まれた空気の二酸化炭素やその他の汚染物質の濃度を測定し、汚染物質の濃度が一定の値を超えていれば排気し、超えていなければ循環させるように制御してもよい。これにより、室内の環境状態を効率的に管理することができる。
【０１４２】
各実施形態において、空調システムは、居室内の壁、床、天井、空調機の給気口、排気口付近のうち、二箇所以上に置かれた複数の前述の温度等のセンサーの測定値から幾つかを選択し、それらの値を平均化することにより指定された場所の温度等の推定値としてもよい。また、居室内の壁、床、天井、空調機の給気口、排気口付近のうち、二箇所以上に置かれた複数の前述の温度、湿度、二酸化炭素濃度、等のセンサーの測定値から同じ高さにあるとみなせる二つ以上のセンサーを選択し、そのうちの幾つかを選択してそれらの測定値を平均化することにより、その居室におけるその高さでの温度、湿度、二酸化炭素濃度、等の推定値としてもよい。
【０１４３】
第１の実施形態において、センサーＳＲの勢力範囲を、ボロノイ領域を用いていて求めたが、ボロノイ領域を求める代わりに、環境状態を推定しようとするメッシュ点と、全てのセンサーＳＲとの距離を計算して、一番近いセンサーＳＲを求めてもよい。これにより、同様の効果が得られる。また、一般的に、ボロノイ領域を求めることは困難であり、これを避けるができる。
【０１４４】
第５の実施形態において、空調制御部１４は、温度分布，湿度分布，ＣＯ２濃度分布に基いて、換気装置２０１，２０２及び空調機３０１，３０２を制御したが、換気装置２０１，２０２及び空調機３０１，３０２の各々の近傍に設けられたセンサーのみを用いて、独立に制御してもよい。
【０１４５】
第７の実施形態において、位置情報センサーＳＲＸは、ビルの階数と部屋番号をディップスイッチ等で設定し、そのデータを温度や湿度などのデータと一緒に送信するだけのものであってもよい。また、センサーを用いずに、ビル監視制御装置１Ａに直接入力してもよい。
【０１４６】
第７の実施形態において、ビル監視制御装置１Ａによって照明やセキュリティーと連動させ、人のいない部屋は空調を行わないようにしてもよいし、ＣＯ２濃度を監視することにより部屋の使用状況も把握できるようにしてもよい。これにより、ビルエネルギー管理やセキュリティー管理を有効に行うことができる。
【０１４７】
第７の実施形態において、無線センサーは、予め定められた所定の時間間隔で測定を行い、その結果を無線で無線基地局（アクセスポイントＡＰ）に送信し、それ以外の時間には消費電力を抑えたスリープモードとなるようにしてもよい。また、無線センサーは、無線基地局から無線により指示があった場合にのみ測定を行い、その結果を無線で無線基地局に送信し、それ以外の時間には無線基地局からの呼び出しを判別可能な程度に消費電力を抑えたスリープモードとなるようにしてもよい。さらに、無線センサーは、各センサーにおいて測定値に対して与えられた式に基づく演算を行い、その結果が所定の値になった場合にのみ、無線による信号を無線基地局に送信してもよい。また、無線センサーは、他の実施形態に適用することもできる。
【０１４８】
各実施形態において、コンピュータは、演算部（例えば、ＣＰＵ（central processing unit）・チップセットなどの演算素子、ファームウェア、プログラム（ソフトウェア）など）と記憶部（例えば、ハードディスク、メモリ、各種記憶媒体など）とを有していれば、他の構成であってもよい。よって、１台のコンピュータ（例えばパソコン）であってもよいし、２台以上のコンピュータをシステム化したものであってもよい。また、記憶部は、任意の台数の記憶装置（例えばストレージ）とを情報の送受信可能にネットワーク化されたものでもよい。また、データベースを記憶する記憶装置は、いくつかのデータベースを１つにまとめてもよいし、１つのデータベースを複数の記憶装置に記憶したものであってもよい。コンピュータは、適用される環境に応じて、適宜構成を変更できる。
【０１４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１５０】
【図１】本発明の第１の実施形態に係る空調用センサーシステムを用いた空調システムの構成を示すブロック図
【図２】本実施形態に係る空調用センサーシステムのセンサーの設置位置を示す配置図
【図３】第１の実施形態に係る制御装置における環境状態分布の作成方法について説明するためのイメージ図
【図４】平面におけるセンサーのボロノイ領域を説明するためのイメージ図
【図５】立体の表面におけるセンサーのボロノイ領域を説明するためのイメージ図
【図６】第１の実施形態に係る空調制御部による空調装置を制御する手順を示すフローチャート
【図７】冷房時における室内の垂直方向の温度分布を示す測定結果を表したグラフ図
【図８】冷房時における室内の垂直方向の相対湿度の分布を示す測定結果を表したグラフ図
【図９】第２の実施形態に係る空調用センサーシステムにより作成された温度に関する環境状態分布を示すイメージ図
【図１０】第２の実施形態に係る空調用センサーシステムにより作成された湿度に関する環境状態分布を示すイメージ図
【図１１】第２の実施形態に係る空調用センサーシステムにより作成された快適性指標に関する環境状態分布を示すイメージ図
【図１２】第３の実施形態に係る空調用センサーシステムのセンサーの勢力範囲を示すイメージ図
【図１３】第４の実施形態に係る空調用センサーシステムのセンサーの勢力範囲を示すイメージ図
【図１４】第５の実施形態に係る空調用センサーシステムを用いた空調システムによる空調制御を説明するためのイメージ図
【図１５】第６の実施形態に係る空調用センサーシステムを用いた空調システムによる空調制御を説明するためのイメージ図
【図１６】第７の実施形態に係る空調用センサーシステムを用いた空調システムの構成を示すイメージ図
【図１７】第７の実施形態に係る温度センサー及び湿度センサーを兼ね備えたセンサーの外形図
【図１８】第７の実施形態に係るＣＯ２センサーの外形図
【図１９】第７の実施形態に係る無線センサーの電波強度の測定結果を示すグラフ図
【符号の説明】
【０１５１】
１…制御装置、１１…測定値受信部、１２…環境状態推定部、１３…環境状態分布作成部、１４…空調制御部、１０１，１０２…空調装置、ＳＲ１１〜ＳＲ６３…センサー。
【図１】
2008075973.tif 000003
【図２】
2008075973.tif 000004
【図３】
2008075973.tif 000005
【図４】
2008075973.tif 000006
【図５】
2008075973.tif 000007
【図６】
2008075973.tif 000008
【図７】
2008075973.tif 000009
【図８】
2008075973.tif 000010
【図９】
2008075973.tif 000011
【図１０】
2008075973.tif 000012
【図１１】
2008075973.tif 000013
【図１２】
2008075973.tif 000014
【図１３】
2008075973.tif 000015
【図１４】
2008075973.tif 000016
【図１５】
2008075973.tif 000017
【図１６】
2008075973.tif 000018
【図１７】
2008075973.tif 000019
【図１８】
2008075973.tif 000020
【図１９】
2008075973.tif 000021